(57)【要約】【課題】  ネックレスなどの装身用装飾品を確実に固定可能で、繰り返し使用でき、装着が容易であって、外観的にも優れた装身用装飾品の固定具を提供する。【解決手段】  装身用装飾品の固定具１は、硬質合成樹脂により形成された板材からなる基板２の表面または裏面の少なくとも一面にエラストマーのゲルからなる軟質合成樹脂により形成された自己粘着性を有する粘着層３，３が積層されて平面が所定の形状の積層体に形成した。【選択図】図１５
2019000484.tif 000002
【特許請求の範囲】
【請求項１】
硬質合成樹脂により形成された板材からなる基板の表面または裏面の少なくとも一面にエラストマーのゲルからなる軟質合成樹脂により形成された自己粘着性を有する粘着層が積層されて平面が所定の形状の積層体に形成されていることを特徴とする装身用装飾品の固定具。
【請求項２】
前記粘着層がウレタン樹脂エラストマーのゲルにより形成されていることを特徴とする請求項１記載の装身用装飾品の固定具。
【請求項３】
前記基板がポリエチレンテレフタラートにより形成されていることを特徴とする請求項１または２記載の装身用装飾品の固定具。
【請求項４】
前記基板は厚さが０．１ｍｍ〜１ｍｍであるとともに前記粘着層は厚さが０．５ｍｍ〜２ｍｍであることを特徴とする請求項１，２または３記載の装身用装飾品の固定具。
【請求項５】
前記平面形状が円形であることを特徴とする請求項１，２，３または４記載の装身用装飾品の固定具。
【請求項６】
前記基板および粘着層が透明であることを特徴とする請求項１，２，３，４または５記載の装身用装飾品の固定具。
【請求項７】
前記積層体の一部に前記積層体の平面に対して垂直方向に向けて装身用装飾品を止着するための貫通孔が形成されていることを特徴とする請求項１，２，３，４，５または６記載の装身用装飾品の固定具。
【発明の詳細な説明】
【技術分野】
【０００１】
本発明は、例えばネックレス、指輪、ピアス、イヤリング、ブレスレットなどの直接人肌に触れて装着する装身用装飾品を装着した際に位置ズレを防止し、或いは脱落してしまうのを防ぐために用いられる装身用装飾品の固定具に関するものである。
【背景技術】
【０００２】
従来、ネックレス、指輪、などの装身用装飾品は、正しい位置に装着したとしても着用している際にずれてしまい、本来、首の背面に配置される装着用の連結環が前面に移動してしまうなどの事態が生じることがある。
【０００３】
そのため、従来から例えばネックレスの場合には首の後に装着される連結環の部分にデザインされた錘を連結鎖を用いて連結することで装飾効果を兼ねた装身用装飾品の装着位置のずれや脱落を防止する装身用装飾品の固定具が知られている。
【０００４】
図２４は、実開昭６２−１０９６１６号公報に提示された指輪の回転防止具であり、基板１ａの表面に一定幅で盛り上げ部２ａを形成してこの盛り上げ部２ａに凹部３ａを設け、且つ基板１ａの裏面に粘着性接着部４ａを備えたものである。
【０００５】
この指輪の回転防止具は比較的複雑な形状をしていることから作成に手間が掛かる割には図２５に示すように基板１ａ側は凹部３ａを指輪の内周に挟み込むだけであり十分な回転防止効果を得るに至っていない。
【０００６】
また、図２６はネックレスについての首部の後の連結部５ａに鎖６ａを介して固定錘７ａを配置したネックレスの回り止めのために用いられる固定具であるが、この種の装身用装飾品の固定具は固定するというよりも装飾効果に重きを置いていることから十分な固定効果を得ることができず、逆に重さがあることから身体の動きにより首の後に装着される固定錘７ａの部分が前面に移動してしまうという問題があった。
【０００７】
そこで、例えば実開平３−１０１２１８号公報や実用新案登録３１１３６８６号公報などにネックレスの位置ズレを防ぐための固定具が提示されている。これらの固定具は図２７に示すように、ネックレスの首部の後に位置する連結環５ａに鎖６ａを介して前記固定錘７ａの代わりに着脱自由のクリップなどの固定部材８ａを付設したものであり、図２８に示すように装着した後に固定部材８ａを例えばシャツ等の衣類の襟ぐりの後側部分９ａに装着することでネックレスの回転を防ぐものである。
【０００８】
しかしながら、前記従来のネックレスなどの装身用装飾品の固定具は襟ぐり部分を有する衣装を着用するように限定されるという問題があり、また、装着も面倒で美観的にも優れていないという問題があった。
【先行技術文献】
【特許文献】
【０００９】
【特許文献１】実開昭６２−１０９６１６号公報
【特許文献２】実開平３−１０１２１８号公報
【特許文献３】実用新案登録３１１３６８６号公報
【発明の概要】
【発明が解決しようとする課題】
【００１０】
本発明は前記従来の問題点に着目してなされたものであって、ネックレスなどの装身用装飾品の固定が確実であることは言うまでもなく装着が容易で且つ外観的な優れているばかりか繰り返して使用することが可能で経済的にも優れた装身用装飾品の固定具を提供することを課題とする。
【課題を解決するための手段】
【００１１】
前記課題を解決するためになされた本発明である装身用装飾品の固定具は、硬質合成樹脂により形成された板材からなる基板の表面または裏面の少なくとも一面にエラストマーのゲルからなる軟質合成樹脂により形成された自己粘着性を有する粘着層が積層されて平面が所定の形状の積層体に形成されていることを特徴とする。
【００１２】
本発明によれば、エラストマーのゲルからなる軟質合成樹脂により形成された自己粘着性を有する粘着層を皮膚の装着面に粘着させることできわめて強固な固定効果を発揮させるとともに硬質の板材からなる基板により粘着層を保持させることで形状を保つことにより装身用装飾品への引っ張り力に対する耐久性を発揮させる。
【００１３】
また、本発明において前記粘着層がウレタン樹脂エラストマーのゲルにより形成されていることから人肌と同様な触感を得ることができ、装着感に優れており、装着中も違和感を生じないとともに毒性や身体への影響などもなく健康についても安心である。
【００１４】
また、本発明において前記基板がポリエチレンテレフタラートにより形成されている場合には比較的薄く形成したとしても十分な強度を発揮させることができ、例えば装身用装飾品を連結するためのリングなどの連結具を連結するための貫通孔を形成することもできるばかりか粘着層を含めて透明体により形成することも可能で美観的にも問題がない。
【００１５】
更に、本発明において、前記基板は厚さが０．１ｍｍ〜１ｍｍであるとともに前記粘着層は厚さが０．５ｍｍ〜２ｍｍであることが好ましく、前記平面形状についても各種希望のものが容易に供給可能であり、特に円形である場合には各種の用途に対応し易い。
【発明の効果】
【００１６】
本発明によれば、装身用装飾品の固定が確実であることは言うまでもなく装着が容易で且つ外観的な優れているばかりか繰り返して使用することが可能で経済的にも優れた装身用装飾品の固定具を提供することができる。
【図面の簡単な説明】
【００１７】
【図１】装身用装飾品として指輪を用いた場合の本発明である固定具の好ましい実施の形態を示す斜視図である。
【図２】図１に示した実施の形態の断面図である。
【図３】図１に示した実施の形態の使用状態を示す説明図である。
【図４】図１に示した実施の形態の使用状態を示す断面図である。
【図５】装身用装飾品としてピアスを用いた場合の本発明である固定具の好ましい実施の形態を示す斜視図である。
【図６】図５に示した実施の形態の断面図である。
【図７】図５に示した実施の形態の使用状態を示す説明図である。
【図８】装身用装飾品としてピアスを用いた場合の本発明である固定具の異なる実施の形態を示す斜視図である。
【図９】図８に示した実施の形態の断面図である。
【図１０】図８に示した実施の形態の使用状態を示す説明図である。
【図１１】装身用装飾品としてイヤリングを用いた場合の本発明である固定具の好ましい実施の形態を示す斜視図である。
【図１２】図１１に示した実施の形態の断面図である。
【図１３】図１１に示した実施の形態の使用状態を示す説明図である。
【図１４】装身用装飾品としてネックレスを用いた場合の本発明である固定具の好ましい実施の形態を示す斜視図である。
【図１５】図１４に示した実施の形態の使用状態を示す説明図である。
【図１６】図１４に示した実施の形態の使用状態を更に拡大して示す説明図である。
【図１７】装身用装飾品としてネックレスを用いた場合の本発明である固定具の異なる実施の形態を示す斜視図である。
【図１８】図１７に示した実施の形態の断面図である。
【図１９】図１７に示した実施の形態の使用状態を示す説明図である。
【図２０】図１９に示した実施の形態の使用状態を更に拡大して示す説明図である。
【図２１】装身用装飾品としてネックレスを用いた場合の本発明である固定具の更に異なる実施の形態を示す斜視図である。
【図２２】装身用装飾品としてネックレスを用いた場合の本発明である固定具の更に異なる実施の形態における使用状態を示す拡大斜視部分図である。
【図２３】図２２の部分断面図である。
【図２４】従来例を示す斜視図である。
【図２５】図２４に示した従来例の使用状態を示す断面図である。
【図２６】異なる従来例を示す斜視図である。
【図２７】更に異なる従来例を示す斜視図である。
【図２８】図２７に示した従来例の使用状態を示す説明図である。
【発明を実施するための形態】
【００１８】
以下に、本発明の好ましい実施の形態について図面を参照して詳細に説明する。
【００１９】
図１乃至図４は装身用装飾品として指輪Ｒを用いた場合の本発明である固定具１の好ましい実施の形態を示すものであり、固定具１は例えばポリエチレンテレフタラートの素材により形成された厚さが０．１ｍｍ〜１ｍｍの硬質合成樹脂により形成された板材からなる基板２の表面および裏面に厚さが０．５ｍｍ〜２ｍｍのエラストマーのゲルからなる軟質合成樹脂により形成された自己粘着性を有する粘着層３，３が積層されて平面が角を落とした細長矩形状の直方体に形成されている。
【００２０】
そして、本実施の形態では前記粘着層３は、ウレタン樹脂エラストマーのゲルからなる軟質合成樹脂により形成されており、例えば株式会社エクシールコーポレーション製の「人肌ゲル（５）」（商品名）を用いた。
【００２１】
この「人肌ゲル（５）」は、比重（１．０４）、硬度（アスカーＡ：０、アスカーＣ：５）、引張強度（０．５８Ｎ／ｍｍ２）、１００％伸び応力（０．０３Ｎ／ｍｍ２）、２００％伸び応力（０．０５Ｎ／ｍｍ２）、３００％伸び応力（０．０９Ｎ／ｍｍ２）、引張伸び（５５０％）、引裂強度（２．７０Ｎ／ｍｍ）、圧縮強度１０％（０．０２Ｎ／ｍｍ２）、圧縮強度２０％（０．０５Ｎ／ｍｍ２）、圧縮強度３０％（０．１２Ｎ／ｍｍ２）、圧縮弾性率（０．２３Ｎ／ｍｍ２）、耐水性（異常なし）、吸水率［常温  ２４ｈｒｓ％］（６．０Ｗ／Ｎ）、吸水率［常温  ４０℃  ２４ｈｒｓ％］（６．８Ｗ／Ｎ）、耐油性［４０℃  ２４ｈｒｓ％］（−８．６０）、耐酸性［２４ｈｒｓ］（異常なし）、耐アルカリ性［２４ｈｒ］（異常なし）、耐環境性［８０℃  ８０％２４ｈｒｓ］（異常なし）、耐熱老化［引張強度］（０．６８Ｎ／ｍｍ２）、耐熱老化［１００％伸び応力］（０．０２Ｎ／ｍｍ２）、耐熱老化［伸び］（５６２％）、圧縮永久歪み［７０℃  ２２ｈｒｓ］（１４．９％）、圧縮永久歪み［１００℃  ７０ｈｒｓ］（１５．９％）、耐熱温度（−３０〜６０℃）、耐寒性［一３０℃  ２４ｈｒｓ］（脆化せず）、粘着性［１８０°ビール］（０．０７Ｎ／２５ｍｍ）、粘着性［保持力］（４３ｓｅｃ）、粘着性［ボールタック］（６ＮＯ．）、可視光透過率（０．１％）、適正荷重（０．１９Ｋｇｆ／⊂ｍ２）程度の物性を有するものであるが、必ずしも規定値に定めたものである必要はなく、目安として使用することができる。
【００２２】
そして、本実施の形態である固定具１は、図３に示すように指輪Ｒを装着する際に前記一方の粘着層３を指輪Ｒの内周面の適所（例えば装着したときにへこみやすい指４の腹の接触する部分などに粘着させた状態で貼り付けるとともにそのままの状態で通常の場合と同様に指に嵌めることにより指４と指輪Ｒとの間に挟むように装着する。
【００２３】
このとき、装着時に互いの粘着層３，３は適宜の摩擦が生じるが粘着層３，３は間に位置する適宜硬質の基板２により粘着、支持されているので剥がれることもなく図４に示すように、はみ出すことなく所定位置に配置されて装着され、粘着効果により回転や脱落を防止することができる。
【００２４】
特に、本実施の形態は、厚さが０．１ｍｍ〜１ｍｍのポリエチレンテレフタラートのように適宜の弾性を有する硬質の素材により形成されていることから指４と指輪Ｒとの間に硬度を保ったままで適宜の変形も可能であることから違和感なく装着可能であるとともに基板２の表面および裏面に積層した厚さが０．５ｍｍ〜２ｍｍのエラストマーのゲルからなる軟質合成樹脂により形成された自己粘着性を有する粘着層３，３を十分に保持することができるものである。
【００２５】
そして、本実施の形態はいずれも無害なポリエチレンテレフタラートとポリウレタンゲルのみから形成されているとともにポリウレタンゲルが有する粘着性により指４と指輪Ｒとを互いに固着しているだけなので、長期に使用したとしても不快な使用感がなく、日常の使用には十分に耐えるものである。
【００２６】
また、取り外しに際しては、通常と同じに指輪Ｒを抜き取ることで指輪Ｒの内周面から剥がし取り、基本的に汚れなどにより粘着効果が劣化するまではそのまま再使用が可能である。また、固着具１が汚れなどにより粘着力が劣化したときは水洗、洗浄することで粘着効果が再現するので比較的長期にわたって繰り返して使用することができる。
【００２７】
特に、本実施の形態における粘着層３はウレタン樹脂（ポリオール成分）とその硬化剤（イソシアネート成分）を使用するだけであり、皮膚に直接触れても健康被害を生じる心配がない。
【００２８】
尚、本実施の形態では固定具１をはじめに指側に貼り付ける状態を示したが、はじめに固定具１を指輪Ｒ側に貼り付けてから指４に装着してもよい（図示せず）。
【００２９】
図５乃至図７は装身用装飾品としてピアスＰを用いた場合の本発明である固定具１の好ましい実施の形態を示すものであり、本実施の形態における固定具１は、前記図１に示した指輪Ｒに用いる固定具１と同様なポリエチレンテレフタラートの素材により形成された厚さが０．１ｍｍ〜１ｍｍの硬質合成樹脂により形成された板材からなる基板２の表面および裏面に厚さが０．５ｍｍ〜２ｍｍのエラストマーのゲルからなる同材質の軟質合成樹脂により形成された自己粘着性を有する粘着層３，３がそれぞれ形成されており（以下、他の実施の形態についての素材については同等のものを用いた）、全体の形状が円板状であることと、その平面の中心位置に例えば直径１ｍｍ程度の貫通孔５が基板２および両粘着層３，３を貫通して形成されている点が異なるだけである。
【００３０】
本実施の形態は図７に示すように、ピアスＰのピン６を前記貫通孔５に通した状態で耳孔７を通してチャック８で固定することにより固定具１をピアスＰの裏面と耳たぶ９の表面との間に挟んで粘着層３，３を粘着させることでピアスＰを耳たぶ９に粘着させて装着時にピアスＰが耳たぶ９から脱落するのを防止するものである。
【００３１】
また、図８乃至図１０は装身用装飾品としてピアスＰを用いた場合の本発明である固定具１の異なる実施の形態を示すものであり、本実施の形態における固定具１は、基板２の裏面に自己粘着性を有する粘着層３が形成されており全体の形状が円板状であるとともにその平面の中心位置に例えば直径１ｍｍ程度の貫通孔５が基板２と粘着層３を貫通して形成されている点が異なる。
【００３２】
本実施の形態は図１０に示すように、ピアスＰのピン６を耳孔７を通して装着した状態でピン６に固定具１の貫通孔５を通過させて嵌挿し粘着層３を耳たぶ９に粘着させ、チャック８で固定するものであり、誤ってチャック８を脱落させたとしてもピン６が耳たぶ９に粘着層３を粘着させている固定具１の貫通孔５に挿入されているのでピアスＰが抜け落ちてしまうことを防止することができるものである。
【００３３】
尚、本実施の形態では使用時において固定具１の表面は滑面である基板２が露出しているので固定具１に髪の毛が粘着するようなこともない。
【００３４】
図１１乃至図１３は装身用装飾品としてイヤリングＩを用いた場合の本発明である固定具１の好ましい実施の形態を示すものであり、固定具１は例えば全体が円板形を呈している以外は前記図１に示した指輪Ｒ用の実施の形態と材質並びに構成がほぼ同様に形成されている。
【００３５】
そして、使用時には、図１３に示すようにイヤリングＩの締め付け具１０の基端１１または対向面１２（この場合については図示せず）に粘着層３を粘着させた状態でそのまま耳たぶ９を挟み込むようにして装着することで固定する。
【００３６】
更に、図１４は装身用装飾品としてネックレスＮを用いた場合の本発明である固定具１の好ましい実施の形態を示すものであり、固定具１は、前記装身用装飾品として指輪Ｒを用いた場合の実施の形態と構成並びに材質がほぼ同様であり、基板２の表面および裏面に粘着層３，３が積層されて平面が例えば直径が１０ｍｍ程度の円板形である点が異なるが形状について特に限定されるものでない。
【００３７】
図１５および図１６は本実施の形態の使用方法を示すものであり、ネックレスＮとしては首部の後に位置する連結環１３にチェーンやワイヤーなどの索条１４を介して少なくとも底面１５が平滑に形成された従来と同様の例えば表面に飾りを施した固定錘１６を使用したものを用いるものであり、例えば固定錘１６の底面側に予め固定具１の表面側の粘着層３を粘着させておき、図１５に示したように従来と同様にネックレスＮを装着した状態で固定具１をその裏面側の粘着層３を背中の皮膚Ｓの所定位置に粘着させる。
【００３８】
このようにして本実施の形態では装着したネックレスＮに付設した従来の固定錘１６が装着者の背中に確実に粘着されるのでずれることなく使用時のネックレスＮのずれを簡単且つ確実に防止することができる。また、本実施の形態では固定具１は使用時に固定錘１６に覆われているので露出されることもなく美感を損なう心配もない。尚、粘着効果を考慮すると固定錘１６は底面１５が平滑であることが好ましい。
【００３９】
また、本実施の形態では、固定錘１６を有する従来のネックレスＮに固定具１を追加するだけで使用可能であり、経済的にも有利である。
【００４０】
更にまた、図１７乃至図２０は装身用装飾品としてネックレスＮを用いた場合の本発明である固定具１の異なる実施の形態を示すものであり、固定具１は、前記図７に示した実施の形態とほぼ同様であるが、直径１ｍｍ程度の貫通孔５が外周の近くに形成されている点が異なる。また、特に限定されないが本実施の形態である固定具１は無色透明であると装着時に目立たない。
【００４１】
そして、本実施の形態である固定具１を使用するには、図１９および図２０に示すように、前記貫通孔５に止めリング１７を貫通連結するとともに先端をネックレスＮの前記連結環１３に連結した所定の長さを有する細いチェーンやワイヤーなどの索条１４に連結するとともにネックレスＮの装着後に首の後に前記固定具１の粘着面３を背中の皮膚Ｓにおける所定位置に貼り付けて粘着させるものである。
【００４２】
本実施の形態は、背中の皮膚Ｓに粘着された前記固定具１が前記所定長さの索条１４を介して首に装着されたネックレスＮの連結環１３を固定するのでネックレスＮがずれたりすることがない。
【００４３】
本実施の形態は、特に、薄く且つきわめて柔軟な粘着ゲルを用いているが、粘着層３が硬質の基板２により補強されていることから、止めリング１７に対しても、更に装着後の引っ張り荷重に対しても粘着層３が崩壊してしまうことがなく確実に固定効果を持続することができる。
【００４４】
図２１は装身用装飾品としてネックレスＮを用いた場合の本発明である固定具１の更に異なる実施の形態を示すものであり、固定具１自体は前記図１７乃至図２０に示した実施の形態とほぼ同様であるが、前記貫通孔５に止めリング１７を貫通連結するとともに前記止めリング１７に所定の長さを有する細いチェーンやワイヤーなどの索条１４を連結するとともにその先端にフック１９を付設した固定具装置１８を形成しておき、ネックレスＮ装着後に首の後に止めた連結環１３に前記フック１９を掛止するとともに前記固定具１の粘着面３を背中の皮膚Ｓにおける所定位置に貼り付けて粘着させる。
【００４５】
本実施の形態は、ネックレスＮを装着後に首の後に止めた連結環１３に前記フック１９を掛止するとともに前記固定具１の粘着面３を背中の所定位置に貼り付けて粘着させるものである。従って、ネックレスＮと固定具１を有する固定具装置１８とを別体としているのでそれぞれを適宜選択して使用することかできるので利便性に優れているとともに各種のネックレスＮについて使用可能であり、複数種類を備えておくことで各種の選択が可能であり、特に美感を重要とする装身用装飾品であるネックレスＮについては有効である。
【００４６】
更に、図２２および図２３は装身用装飾品としてネックレスＮを用いた場合の本発明である固定具１の更にまた異なる実施の形態を示すものであり、全体の構成は前記図１７乃至図２０に示した実施の形態とほぼ同様であるが、固定具１に形成した貫通孔５に索条１４を連結した止めリング１７を嵌挿して連結する点は共通しているがその際に前記止めリング１７を前記固定具１の基板２の前面に装飾した固定錘１６を重ねて挿入する点が異なるものである。
【００４７】
本実施の形態によると固定具１が索条１４を介して確実にネックレスＮと固着されるという利点がある。尚、必要であれば、前記止めリング１７と固定錘１６を蝋付けし、或いは固定具１の基板２と固定錘１６の接する面を互いに接着して更に強固に固着してもよい。
【００４８】
尚、前記図１４乃至図２３に示した実施の形態はネックレスＮについての実施の形態として説明したが、ブレスレットについても同様に実施することができるものである（図示せず）。
【００４９】
以上のように、本発明は各種の装身用装飾品の装着時の固定が可能であり、特に、粘着層３はゲル状に形成されていることから装着感がよく、長時間の使用にも対応可能であるばかりか粘着力が大きくきわめて大きな固定力を発揮可能であるはかりか硬質の基板２により強度も十分であり、更に、身体に害もなく、粘着効果も洗浄により復帰するなどきわめて経済的でもある。
【符号の説明】
【００５０】
１  固定具、２  基板、３  粘着層、４  指、５  貫通孔、６  ピン、７  耳孔、８  チャック、９  耳たぶ、１０  締め付け具、１１  基端、１２  対向面、１３  連結環、１４  索条、１５  底面、１６  固定錘、１７  止めリング、１８  固定具装置、１９  フック、Ｉ  イヤリング、Ｎ  ネックレス、Ｐ  ピアス、Ｒ  指輪、Ｓ  皮膚
【図１】
2019000484.tif 000003
【図２】
2019000484.tif 000004
【図３】
2019000484.tif 000005
【図４】
2019000484.tif 000006
【図５】
2019000484.tif 000007
【図６】
2019000484.tif 000008
【図７】
2019000484.tif 000009
【図８】
2019000484.tif 000010
【図９】
2019000484.tif 000011
【図１０】
2019000484.tif 000012
【図１１】
2019000484.tif 000013
【図１２】
2019000484.tif 000014
【図１３】
2019000484.tif 000015
【図１４】
2019000484.tif 000016
【図１５】
2019000484.tif 000017
【図１６】
2019000484.tif 000018
【図１７】
2019000484.tif 000019
【図１８】
2019000484.tif 000020
【図１９】
2019000484.tif 000021
【図２０】
2019000484.tif 000022
【図２１】
2019000484.tif 000023
【図２２】
2019000484.tif 000024
【図２３】
2019000484.tif 000025
【図２４】
2019000484.tif 000026
【図２５】
2019000484.tif 000027
【図２６】
2019000484.tif 000028
【図２７】
2019000484.tif 000029
【図２８】
2019000484.tif 000030